(57)【特許請求の範囲】
【請求項１】
櫛歯が列設したブラシ部と染毛剤を収容する容器からなる染毛剤塗布用ブラシであって、櫛歯が、板状形状をなし、内部に染毛剤の導液路を有し、隣接する櫛歯との対向面に染毛剤の吐出口を有し、かつ該対向面上で吐出口と櫛歯基面の間に櫛歯の幅方向に延びたリブが設けられている染毛剤塗布用ブラシ。
【請求項２】
リブから櫛歯の先端部側に向かって、櫛歯の厚みが徐々に薄くなっている請求項１記載の染毛剤塗布用ブラシ。
【請求項３】
櫛歯が列設したブラシ部と染毛剤を収容する容器からなる染毛剤塗布用ブラシであって、櫛歯が、板状形状をなし、内部に染毛剤の導液路を有し、隣接する櫛歯との対向面に染毛剤の吐出口を有し、かつ該対向面に吐出口から櫛歯の先端部方向へ溝が設けられている染毛剤塗布用ブラシ。
【請求項４】
吐出口と櫛歯基面の間に櫛歯の幅方向に伸びた段差又はリブが設けられている請求項３記載の染毛剤塗布用ブラシ。
【発明の詳細な説明】
【０００１】
【発明の属する技術分野】
本発明は、染毛剤を髪の根元も含めて髪全体に塗布するために好適な染毛剤塗布用ブラシに関する。
【０００２】
【従来の技術】
図６に示すように、染毛剤塗布用ブラシ１として、染毛剤を収容する容器２に、櫛歯３を列設させたブラシ部４を連結部５を介して装着したものが知られている。この櫛歯３は、先端部６が先細りになった扁平な板状形状をしており、その内部には、容器２の内部と連通する導液路７が形成されている。また、櫛歯３の側面（隣接する櫛歯との対向面）には、染毛剤の吐出口９が形成されている。
【０００３】
この染毛剤塗布用ブラシ１によれば、容器２を押圧することにより櫛歯３の吐出口９から染毛剤を吐出させ、染毛剤を髪に塗布しつつ、先端部６で髪を梳くことができるので、染毛剤の収容容器とブラシが別体となっている場合に比して、容易に染毛剤を髪に塗布することができる。
【０００４】
【発明が解決しようとする課題】
しかしながら、従来の染毛剤塗布用ブラシ１では、吐出口９から吐出した染毛剤Ａは、隣り合う櫛歯３間で同心円状にしか広がらないので、髪の根元へ染毛剤を供給し易くするために図７（ａ）のように吐出口９の位置を櫛歯３の先端側に寄せると、櫛歯３間の染毛剤Ａの保持量が減る。そのため、染毛に要する仕事量（コーミング数）が増えるという不具合が生じる。
【０００５】
一方、同図（ｂ）のように吐出口９を櫛歯基面８側に寄せると、櫛歯３間での染毛剤Ａの保持量は増えるが、櫛歯３間で保持される染毛剤Ａと櫛歯３の先端部６との距離が大きくなるので、髪の根元の着剤が難しくなる。
【０００６】
このように、従来の染毛剤塗布用ブラシでは、髪の根元への着剤のし易さと染毛に要する仕事量の低減とを同時に向上させることができない。
【０００７】
これに対し、本発明は、簡単な操作で髪の根元や髪全体を染めることができ、頭皮への染毛剤の付着を極めて少なくすることのできる染毛剤塗布用ブラシを提供することを目的とする。
【０００８】
【課題を解決するための手段】
本発明者は、染毛剤の吐出口を有する櫛歯を列設させた染毛剤塗布用ブラシにおいて、吐出口と櫛歯基面との間にリブを設けるか、または吐出口から櫛歯の先端に向けて溝を形成すると、吐出口から吐出された染毛剤が櫛歯基面側に広がることを抑制し、先端側に向わせることができるので、髪の根元を含めて髪全体に効率よく染毛剤を塗布でき、櫛通り感も損なわれないことを見出した。
【０００９】
即ち、本発明は、櫛歯が列設したブラシ部と染毛剤を収容する容器からなる染毛剤塗布用ブラシであって、櫛歯が、板状形状をなし、内部に染毛剤の導液路を有し、隣接する櫛歯との対向面に染毛剤の吐出口を有し、かつ吐出口と櫛歯基面の間に櫛歯の幅方向に延びたリブが設けられている染毛剤塗布用ブラシを提供する。
【００１０】
また、本発明は、櫛歯が列設したブラシ部と染毛剤を収容する容器からなる染毛剤塗布用ブラシであって、櫛歯が、板状形状をなし、内部に染毛剤の導液路を有し、隣接する櫛歯との対向面に染毛剤の吐出口を有し、かつ吐出口から櫛歯の先端部方向へ溝が設けられている染毛剤塗布用ブラシを提供する。
【００１１】
【発明の実施の形態】
以下、図面を参照しつつ本発明を詳細に説明する。なお、各図中、同一符号は同一または同等の構成要素を表している。
【００１２】
図１は、本発明の一実施例の染毛剤塗布用ブラシ１Ａの斜視図（ａ）、ブラシ部のｘ−ｘ断面図（ｂ）、ｙ−ｙ断面図（ｃ）である。また、図２は、ブラシ部の拡大図である。
【００１３】
この染毛剤塗布用ブラシ１Ａは、染毛剤を収容する容器２、櫛歯３を列設させたブラシ部４、容器２とブラシ部４とを連結する連結部５からなっている。
【００１４】
容器２は、押圧により染毛剤を押し出すことのできる可撓性材料からなっている。このような可撓性材料としては、例えば、特開２０００−１６４７０号に開示されているような可撓性外側層と、その外側層に剥離自在に積層された内側層からなるものを使用し、容器の押圧後に空気を外側層と内側層との間に導入し、外側層を押圧前の形状に復元させつつ内側層を剥離させて収縮変形させるものが好ましい。これにより、ディップチューブが不要となり、また、容器２を正立させても倒立させても使用することが可能となる。
【００１５】
個々の櫛歯３は、その外形が、先端部６の幅が先細りで、幅ａが厚みｂよりも大きい扁平な板状形状をなしている。ここで、幅ａと厚みｂは、櫛通り性を損なわず、櫛歯上に染毛剤を適量保持できるようにする点から、幅ａを１０〜２０ｍｍとし、厚みｂを１〜４ｍｍとすることが好ましい。また、先端部６については、幅ｃが５ｍｍ以下の部分Ｌ4の長さを少なくとも１ｍｍ以上とすることが、櫛通り感を向上させ、頭皮への染毛剤の付着を低減させる点で好ましい。
【００１６】
櫛歯の隣接する櫛歯との対向面には、櫛歯基面８からの距離がＬ1 の位置に中心がある吐出口９が設けられており、さらにこの吐出口９の中心から櫛歯基面８側へ距離Ｌ2 の位置に、櫛歯３の幅方向に延びたリブ１５が設けられている。このようにリブ１５を設けると、吐出口から吐出した染毛剤Ａの櫛歯基面８方向への流れを抑制し、染毛剤Ａを、図２（ａ）の矢印のように櫛歯３の先端部６方向へ向わせることができる。したがって、髪の根元に染毛剤Ａを十分に供給することができる。この場合、吐出口９の形成位置は、図７（ａ）に示したように、先端部６側に過度に寄せることなく、櫛歯３間に十分な染毛剤Ａを保持できる位置にすればよいので、染毛に要する仕事量が増大することはない。櫛歯基面８と吐出口９との距離Ｌ1 や吐出口９から櫛歯３の先端までの距離Ｌ3 の最適値は、染毛剤の液性等によるが、例えば、Ｂ型粘度計（(株)東京計器、MODEL ASB100、No.4ローター、30rpm、測定温度25℃）で測定した場合の染毛剤の粘度が３Ｐａ・ｓ〜２０Ｐａ・ｓであるとき、Ｌ1を１４〜２０ｍｍ、Ｌ3を５〜１０ｍｍとする。
【００１７】
また、吐出口９とリブ１５との距離Ｌ2 の最適値は、吐出口９から吐出される染毛剤の成長形状（この成長形状は、吐出口９の形状等に応じて定まる）等によるが、例えば、染毛剤の成長形状が吐出口９を中心とする同心円の場合、Ｌ2を、櫛歯３の外形に内接する同心円の半径Ｒの２／３以下とすることが好ましい。
【００１８】
リブ１５の高さｄは、櫛通り感を確保しつつ染毛剤Ａの櫛歯基面８への流れを抑制する点から、０．２ｍｍ以上とすることが好ましく、特に０．３〜０．５ｍｍとすることが好ましい。また、リブ１５の櫛歯３の長手方向の長さＬ5 は、０．５〜１．５とすることが好ましい。リブ１５の形成位置における櫛歯３の間隔ｅは、櫛通りを良くする点から１ｍｍ以上とすることが好ましい。
【００１９】
リブ１５から櫛歯の先端部６側は、その厚みｂが先端部６に向かって徐々に薄くなるテーパーをなしている。このようにテーパーを形成すると、染毛剤がより一層櫛歯の先端部６へ供給され易くなるので、髪の根元を確実に染毛することが可能となる。
【００２０】
一方、吐出口９の開口面積Ｓは、十分な吐出性を得るために、櫛歯３の内部の導液路７の断面に内接する円の面積以上とすることが好ましく、より具体的には、例えば、１〜５ｍｍ2とすることが好ましい。なお、吐出口９は、ブラシ部４の両端の櫛歯３を除く全ての櫛歯３の両側面に形成することが好ましい。
【００２１】
連結部５は、その内部に染毛剤の導液路が形成されており、櫛歯３の内部に形成されている導液路７と容器２の内部とを連通させている。連結部５は、容器２と一体的に形成してもよいが、別部材としてもよい。また、連結部５とブラシ部４とは、両者を着脱自在とすることが部材の成形上好ましい。
【００２２】
本発明は、この他種々の態様をとることができる。例えば、リブ１５は、吐出口９と櫛歯基面８の間で幅方向に延び、染毛剤の櫛歯基面８の方向への流れを抑制する限り、種々の形状をとることができる。したがって、図３に示すように、吐出口９の櫛歯基面８側の周縁とリブ１５とを連続させてもよい。また、リブ１５から先端部６に向うテーパーに代えて、凹部１６を形成してもよい。
【００２３】
図４に示すように、リブ１５をＶ字形状に形成してもよい。また、吐出口９から先端部６に溝１７を形成してもよい。
【００２４】
吐出口９から先端部６に溝１７を形成する場合、リブ１５を省略してもよい。この場合、溝１７の櫛歯３面からの深さｆを０．３ｍｍ以上とし、溝１７の幅ｇを吐出口９の幅以上とすることが好ましい。また、吐出口９から先端部６に溝１７を形成する場合、図５に示すように、吐出口９と櫛歯基面８の間に櫛歯の幅方向に伸びた段差１８を設けることが好ましい。
【００２５】
吐出口９の開口形状としては、円形の場合を図示したが、開口形状はこれに限られず、矩形、三角形等でもよい。
【００２６】
各櫛歯には内部に複数の導液路を設け、複数の吐出口を形成してもよい。複数の導液路を設ける場合に、各導液路から異なる種類あるいは色の剤を吐出させてもよい。これにより、微妙な風合いのカラーリングを楽しむことが可能となる。
【００２７】
吐出口９から吐出される染毛剤の量を全ての櫛歯３で等しくするために、櫛歯３内の導液路７の流路方向に垂直な断面の面積を、容器２から遠い櫛歯３程広くすることが好ましい。櫛歯３内の導液路７の断面積の変化に比して染毛剤の吐出量の変化は大きいため、この導液路７の断面積の調整により、設計の自由度を高く保持しつつ、染毛剤の吐出量を容易に制御することができる。この場合、導液路７の断面積は、櫛歯３が容器２から遠くなるにしたがって徐々に広げても良く、また、櫛歯３を所定のグループに分け、グルーブごとに広げても良い。この他、吐出口９から吐出される染毛剤の量を全ての櫛歯３で等しくするために、連結部５における導液路の断面積を容器２に遠いほど広げても良い。また、吐出口９の開口面積を容器２から遠い櫛歯３程広げても良い。
【００２８】
【発明の効果】
本発明の染毛剤塗布用ブラシによれば、簡単な操作で髪の根元や髪全体を染めることができ、良好な櫛通り感を得ることができ、頭皮への染毛剤の付着も低減させることができる。
【図面の簡単な説明】
【図１】  本発明の染毛剤塗布用ブラシの斜視図（ａ）、ｘ−ｘ断面図（ｂ）、ｙ−ｙ断面図（ｃ）である。
【図２】  ブラシ部の拡大断面図である。
【図３】  本発明の他の態様のブラシ部の断面図である。
【図４】  本発明の他の態様のブラシ部の断面図である。
【図５】  本発明の他の態様のブラシ部の断面図である。
【図６】  従来の染毛剤塗布用ブラシの斜視図（ａ）、そのｘ−ｘ断面図（ｂ）、ｙ−ｙ部分断面図（ｃ）である。
【図７】  従来の染毛剤塗布用ブラシの櫛歯における、吐出口の位置と染毛剤の保持量との関係を示す説明図である。
【符号の説明】
１Ａ    染毛剤塗布用ブラシ
２    容器
３    櫛歯
４    ブラシ部
５    連結部
６    先端部
７    導液路
８    櫛歯の基面
９    吐出口
１５    リブ
１６    凹部
１７    溝
１８    段差
【図１】
0004517532.tif 000002
【図２】
0004517532.tif 000003
【図３】
0004517532.tif 000004
【図４】
0004517532.tif 000005
【図５】
0004517532.tif 000006
【図６】
0004517532.tif 000007
【図７】
0004517532.tif 000008